(57)【特許請求の範囲】
【請求項１】
個人用キャンペーンの印刷および印刷されたキャンペーンの配送用システムであって、
印刷されたキャンペーンを容易に配送することを可能にする印刷および配送データを記憶および処理するように構成されたプロセッサであって、
印刷および配送データを、別個の個人用キャンペーンアイテムをデザインした複数のユーザから受け取るように構成されること、ここでデータは、複数の個人用キャンペーンアイテムを複数の最終顧客に印刷し配送することを依頼する個人用キャンペーンアイテムをデザインした複数のユーザの少なくとも１人からの入力データを含む、
印刷および配送データを、印刷業務を行い複数の別個の個人用キャンペーンアイテムを複数の最終顧客に印刷し輸送する複数のユーザから受け取るように構成されること、および、
印刷および配送データを、輸送業務を行い複数の個人用キャンペーンアイテムの少なくとも１つを複数の最終顧客に配送する複数のユーザから受け取るように構成されること、の少なくとも１つを満たすプロセッサと、
プロセッサと、別個の個人用キャンペーンアイテムをデザインする複数のユーザとの間、およびプロセッサと、印刷業務を行い複数の別個の個人用キャンペーンアイテムを印刷し輸送する複数のユーザとの間、およびプロセッサと、別個の個人用キャンペーンアイテムをデザインする複数のユーザと、印刷業務を行い複数の別個の個人用キャンペーンアイテムを印刷し輸送する複数のユーザとの間、の少なくとも１つで通信を可能にするように構成されたネットワークとを備え、
プロセッサは、印刷および配送データを記憶および処理し、ここでプロセッサは複数の個人用キャンペーンアイテムの印刷および輸送を実行する印刷業務を行う複数のユーザの少なくとも１人を選択し、
またプロセッサは、
入力データを集積し、
入力データを結合し、
入力データを、少なくとも１つのバッチ用に指定された地上輸送法と、少なくとも１つのバッチ用に指定された空輸法の少なくとも１つによって区分された少なくとも１つの個人用キャンペーンアイテムのバッチに分割し、ここでは個人用キャンペーンアイテムを印刷するユーザの地域から最終顧客居所に期限内に地上輸送を用いて配送できると決定された場合には入力データを地上輸送バッチに追加し、そうでなければ空輸バッチに追加することを含む、
地上輸送法および空輸法の少なくとも１つによって区分された少なくとも１つのバッチを、前記入力データに含まれる最終顧客居所の地域に対応する輸送コードによって区分された少なくとも１つのより小さいバッチに分割し、
少なくとも１つのバッチに含まれるアイテム総数は前記プロセッサに記憶されている割引輸送レート条件に適合する最小サイズよりも多いか否かを決定する指示信号を送り、
ノーならば、プロセッサは、少なくとも１つのバッチを、同じ輸送法の少なくとも別の地域のバッチと結合して次のより大きいバッチにする指示信号を送り、ここで、少なくとも別の地域のバッチは少なくとも１つのバッチの輸送コードに関連する輸送コードを有し、得られた結合バッチは割引輸送レート条件に適合する、
システム。
【請求項２】
個人用キャンペーンの印刷および印刷されたキャンペーンの配送用システムであって、
印刷されたキャンペーンを容易に配送することを可能にする印刷および配送データを記憶および処理するように構成されたプロセッサであって、
印刷および配送データを、別個の個人用キャンペーンアイテムをデザインした複数のユーザから受け取るように構成されること、ここでデータは、複数の個人用キャンペーンアイテムを複数の最終顧客に印刷し配送することを依頼する個人用キャンペーンアイテムをデザインした複数のユーザの少なくとも１人からの入力データを含む、
印刷および配送データを、印刷業務を行い複数の別個の個人用キャンペーンアイテムを複数の最終顧客に印刷し輸送する複数のユーザから受け取るように構成されること、および、
印刷および配送データを、輸送業務を行い複数の個人用キャンペーンアイテムの少なくとも１つを複数の最終顧客に配送する複数のユーザから受け取るように構成されること、の少なくとも１つを満たすプロセッサと、
プロセッサと、別個の個人用キャンペーンアイテムをデザインする複数のユーザとの間、およびプロセッサと、印刷業務を行い複数の別個の個人用キャンペーンアイテムを印刷し輸送する複数のユーザとの間、およびプロセッサと、別個の個人用キャンペーンアイテムをデザインする複数のユーザと、印刷業務を行い複数の別個の個人用キャンペーンアイテムを印刷し輸送する複数のユーザとの間、の少なくとも１つで通信を可能にするように構成されたネットワークとを備え、
プロセッサは、印刷および配送データを記憶および処理し、ここでプロセッサは複数の個人用キャンペーンアイテムの印刷および輸送を実行する印刷業務を行う複数のユーザの少なくとも１人を選択し、
またプロセッサは、
入力データを集積し、
入力データを結合し、
入力データを、少なくとも１つのバッチ用に指定された地上輸送法と、少なくとも１つのバッチ用に指定された空輸法の少なくとも１つによって区分された少なくとも１つの個人用キャンペーンアイテムのバッチに分割する指示信号を送り、ここでは個人用キャンペーンアイテムを印刷するユーザの地域から最終顧客居所に期限内に地上輸送を用いて配送できると決定された場合には入力データを地上輸送バッチに追加し、そうでなければ空輸バッチに追加することを含む、かつ
プロセッサは、
複数の個人用キャンペーンアイテムの少なくとも１つを印刷するための印刷エネルギーフットプリントを計算すること、および、複数の個人用キャンペーンアイテムの少なくとも１つを輸送するための輸送エネルギーフットプリントを計算することの少なくとも１つによって、少なくとも１つの個人用キャンペーンアイテムのカーボンフットプリントを計算することと、
複数の個人用キャンペーンアイテムの少なくとも１つを印刷するための印刷エネルギーフットプリントを計算すること、複数の個人用キャンペーンアイテムの少なくとも１つを輸送するための輸送エネルギーフットプリントを計算すること、および、複数の個人用キャンペーンアイテムの少なくとも１つのカーボンフットプリントを得るために印刷エネルギーフットプリントを輸送エネルギーフットプリントに加えることとによって、
少なくとも１つの個人用キャンペーンアイテムのカーボンフットプリントを計算することの少なくとも１つを行う指示信号を送る、
システム。
【請求項３】
個人用キャンペーンの印刷および印刷されたキャンペーンの配送方法であって、
プロセッサが、
ネットワークを介して、複数の最終受取人に輸送するための別個の個人用キャンペーンアイテムをデザインする複数のユーザを相互接続し、
印刷されたキャンペーンの配送を可能にする印刷および配送データを記憶および処理し、ここでデータは、少なくとも１つの個人用キャンペーンアイテムを複数の最終顧客に印刷し配送することを依頼する個人用キャンペーンアイテムをデザインした複数のユーザの少なくとも１人からの入力データを含み、
入力データを集積し、
入力データを結合し、
入力データを、少なくとも１つのバッチ用に指定された地上輸送法と、少なくとも１つのバッチ用に指定された空輸法の少なくとも１つによって区分された少なくとも１つの個人用キャンペーンアイテムのバッチに分割し、ここでは個人用キャンペーンアイテムを印刷するユーザの地域から最終顧客居所に期限内に地上輸送を用いて配送できると決定された場合には入力データを地上輸送バッチに追加し、そうでなければ空輸バッチに追加することを含む、
地上輸送法および空輸法の少なくとも１つによって区分された少なくとも１つのバッチを、前記入力データに含まれる最終顧客居所の地域に対応する輸送コードによって区分された少なくとも１つのより小さいバッチに分割し、
少なくとも１つのバッチに含まれるアイテム総数は前記プロセッサに記憶されている割引輸送レート条件にあう最小サイズよりも多いか否かを決定し、
ノーならば、少なくとも１つのバッチを、同じ輸送法の少なくとも別の地域のバッチと結合して次のより大きいバッチにし、ここで、少なくとも別の地域のバッチは少なくとも１つのバッチの輸送コードに関連する輸送コードを有し、得られた結合バッチは割引輸送レート条件に適合する、
方法。
【請求項４】
少なくとも１つのバッチは割引輸送レート条件にあう最小サイズであるか否かを決定することに関して、
イエスなら、方法はさらに、プロセッサが、次のより大きいバッチは割引輸送レート条件に少なくとも必要な最小サイズであるか否かを決定する指示信号を送ることをさらに含むことを特徴とする請求項３に記載の方法。
【発明の詳細な説明】
【技術分野】
【０００１】
本開示は印刷材料の印刷および輸送に関し、特に個人用に印刷される材料を印刷し輸送するシステムおよび方法に関する。
【背景技術】
【０００２】
広告業の市場キャンペーンでは、典型的に関連資料が送られ、これはその後最終顧客に郵送される。顧客にとってこの印刷された関連資料を特定の最終ユーザに配送する全コストは別の方法のコストよりも高い。なぜなら、１つのキャンペーン事業の処理を、１つの印刷店が通常行うからである。印刷店は郵便送付先から物理的に長距離にあるので、顧客にとって、郵便料金のコストは通常割り引くことはほとんどできない。さらに、その郵便量では郵便料金の割引はできない。なぜなら、このようなタイプの割引には郵便用（または郵便）番号当たりの最低限の量を必要とし、通常最大の郵便割引の条件に合わせることができないからである。
【０００３】
広告業の市場キャンペーン時には、関連資料を印刷し最終顧客に郵送する。印刷された関連資料を通常１つの印刷店が処理する。１つの印刷店は通常物理的に最終ユーザの輸送先または郵便送付先から離れているので、郵便料金または輸送のコストは、印刷店が物理的に全ての最終輸送または郵便送付先に近い地域にいたら可能であったであろうほど通常は割り引かれない。
【０００４】
特定の印刷業務に対して出版者に合う印刷業者を見つけて郵便処理や配布コストを低減し、郵便配布を促進するシステムおよび方法は、当業者に周知である。
【発明の概要】
【発明が解決しようとする課題】
【０００５】
しかし、印刷された関連資料の量は通常、輸送または郵便割引のための条件に合わない。なぜなら、たとえば、このような割引条件に合わせるためには、郵便番号当たりの最小限量が必要であるからである。したがって、一顧客ベースでは、印刷された関連資料を特定の最終ユーザに配送する全コストを輸送または郵便量割引の条件に合わせることによって低減することはできない。
【課題を解決するための手段】
【０００６】
本開示は、個人用印刷および印刷されたキャンペーンの配送用システムに関し、輸送番号によって輸送送付先をより正確に識別し、多レベルの利用可能な割引輸送レートに従うバッチに区分化することによって、これは印刷されたキャンペーンのエネルギー効率のよりよい印刷を可能にし、先行技術に比べて、最終顧客から離れた印刷業者の使用の増加によるカーボンフットプリントを減らす。
【図面の簡単な説明】
【０００７】
【図１】図１は、本開示による個人用キャンペーンを印刷し印刷されたキャンペーンの配送を最適化しおよび／または促進するのに使用することができるシステムの一実施形態のブロック図である。
【図２】図２は、本開示による個人用キャンペーンを印刷し印刷されたキャンペーンの配送を最適化しおよび／または促進する方法の実行時に顧客を入手する方法の一実施形態を示すブロック図である。
【図３】図３は、本開示による個人用キャンペーンを印刷し印刷されたキャンペーンの配送を最適化しおよび／または促進する方法の実行時にキャンペーン印刷を任せる方法の一実施形態を示すブロック図である。
【図４】図４は、本開示による個人用キャンペーンを印刷し印刷されたキャンペーンの配送を最適化しおよび／または促進する方法の実行時にキャンペーン印刷をマージングし区分化する方法の一実施形態を示すブロック図である。
【図４Ａ】図４Ａは、図４のブロック図の続きである。
【図４Ｂ】図４Ｂは、図４のブロック図の別の続きである。
【図５】図５は、本開示による個人用キャンペーンを印刷し印刷されたキャンペーンの配送を最適化しおよび／または促進する方法の実行時にキャンペーン印刷に入札しこれを実行する方法の一実施形態を示すブロック図である。
【図６】図６は、本開示による個人用キャンペーンを印刷し印刷されたキャンペーンの配送を最適化しおよび／または促進する方法の実行時に印刷業務を行う複数のユーザを入手する方法の一実施形態を示すブロック図である。
【図７】図７は、本開示による個人用キャンペーンを印刷し印刷されたキャンペーンの配送を最適化しおよび／または促進する方法の実行時にカーボンフットプリントを定量し任意にグリーンロゴまたはエネルギーロゴを適用する方法の一実施形態を示すブロック図である。
【図８】図８は、本開示による個人用キャンペーンを印刷し印刷されたキャンペーンの配送を最適化しおよび／または促進する方法の実行時に品質保証を実行する方法の一実施形態を示すブロック図である。
【図９】図９は、図１に示すキャンペーンアイテムの第１の表面の詳細図であり、これは本開示によるエネルギーまたはグリーンロゴを表示する。
【図１０】図１０は、図９のキャンペーンアイテムの第２の表面の詳細図であり、これは本開示によるエネルギーまたはグリーンロゴを表示する。
【発明を実施するための形態】
【０００８】
図１は、本開示による個人用キャンペーンを印刷し印刷されたキャンペーンの配送を最適化しおよび／または促進するのに使用することができるシステム１００のブロック図である。より特別には、ポイントＡの複数の顧客またはシステムユーザ１０２は複数の広告代理店であってもよく、この複数の顧客またはシステムユーザ１０２は広告業務を行いおよび／または別個の個人用キャンペーンアイテム１２０（以下に記載するポイントＣおよびＤで）をポイントＩの複数の最終受取人または複数の最終顧客に輸送するためにデザインする。複数のシステムユーザ１０２は、個人用キャンペーンデータ１１２を作成し、これにはキャンペーンデータ１１２のステータスおよび／またはキャンペーンデータ１１２を考慮した指示のデータが含まれうる。ここで定義されるように、「個人用」という用語は、特定の個人に関するキャンペーンデータ１１２を作成することを意味し、これによってキャンペーンデータ１１２が個人用または個別なものにされる。
【０００９】
少なくとも１つのプロセッサ１１０がシステム１００におけるポイントＢに配置され、印刷および配送データを記憶し処理し、これによって印刷されたキャンペーンの配送の最適化および／または促進を可能にする。好適なネットワーク接続１１４が、ポイントＡの複数のユーザの少なくとも１人とポイントＢのプロセッサ１１０との間で確立される。複数のユーザ１０２は、複数の個人用キャンペーンカード１２０の、複数の最終受取人１０４への印刷と配送を依頼する。
【００１０】
複数のユーザ１０６は印刷業務を行い、複数の別個の個人用キャンペーンカード１２０を複数の最終受取人１０４に印刷し輸送する。
【００１１】
ネットワーク１３０は、プロセッサ１１０と、広告業務を行いおよび／または別個の個人用キャンペーンカード１２０をデザインする複数のユーザ１０２と、印刷業務を行い複数の別個の個人用キャンペーンカード１２０を印刷し輸送する複数のユーザ１０６との間で、または、少なくともプロセッサ１１０と、広告業務を行いおよび／または別個の個人用キャンペーンカード１２０をデザインする複数のユーザ１０２との間で、または、少なくともプロセッサ１１０と、印刷業務を行い、複数の別個の個人用キャンペーンカード１２０を印刷し輸送する複数のユーザ１０６との間で、通信を可能にするように構成される。
【００１２】
プロセッサ１１０はキャンペーンデータ１１２を記憶し処理し、印刷および輸送データや個人用印刷キャンペーンに関するステータスおよび／または指示を含む印刷ジョブデータ１２２も記憶し処理する。印刷ジョブデータ１２２はネットワーク１３０を介してプロセッサ１１０と印刷業務を行う複数のユーザ１０６間で通信される。
【００１３】
また、プロセッサ１１０は、以下でより詳細に説明するように、入力キャンペーンデータ１１２を集積しこれをキャンペーン印刷ジョブに変換し、入力データ１１２を結合させる。
【００１４】
印刷業務を行う複数の各ユーザ１０６はプロセッサ１１０と相互作用して印刷ジョブデータ１２２を送受信する。ポイントＣの複数のユーザ１０６は印刷ジョブを１以上のローカルプロセッサ１０８を介して実行してもよい。１以上のローカルプロセッサ１０８は印刷指示をポイントＤの１以上のプリンタに対して行い、印刷し印刷ジョブを複数の最終受取人１０４に輸送される最終キャンペーンの一部に分類してもよい。分類処理の後、（これは以下でより詳細に説明する）、特定の地域の印刷業者１０６が行った最終キャンペーンの一部をポイントＥの１以上の輸送施設、たとえば、複数の郵便局または輸送サービス提供者の施設に配送し、ここで輸送業務を行う複数のユーザの少なくとも１人、たとえば、複数の運送業者１４２は、複数の個人用キャンペーンアイテム１２０の少なくとも１つを、複数の最終受取人１０４の少なくとも１人に配送する。
【００１５】
１以上の輸送施設１４０またはそのオペレータ、複数の運送業者１４２は直接ユーザとして最適化システム１００内には登録されないが、別個の個人用に印刷されたキャンペーンカード１２０の、ポイントＩの複数の最終受取人１０４への配送について、印刷されたキャンペーンの特定部分の管理を、特定の輸送オペレータに移管した場合には、プロセッサ１１０は、入力可能な場合には輸送オペレータや輸送データを監視するように構成されてもよい。
【００１６】
ここで図２を参照すると、ここには、本開示に関して前述のような図１のシステム１００による個人用キャンペーンを印刷し印刷されたキャンペーンの輸送／配送を最適化しおよび／または促進する全体的方法５０の実行時に顧客を入手する方法２００の一実施形態が示されている。より特別には、システム１００と合わせて、方法２００はステップ２０２を含み、ここで複数の広告代理店でありうる複数の顧客またはシステムユーザ１０２は、サービス提供者（図１に示さない）、たとえば、最適化システムプロセッサ１１０のオペレータに接触する。ステップ２０４で、サービス提供者は顧客１０２に関するデータを収集する。このようなデータには、顧客の会社名、接触情報、伝票発行情報および顧客１０２がキャンペーンを作成するのに使用した図面作成ツールのタイプの記載があってもよい。
【００１７】
ステップ２０６で、顧客データがステップ２０４で確立され顧客１０２とプロセッサ１１０間に好適なネットワーク接続、たとえば、ポイントＡとポイントＢ間のネットワーク接続１１４が確立されていたら、プロセッサ１１０は顧客１０２に今後のキャンペーンの依頼を質問する。
【００１８】
ステップ２０８で、プロセッサ１１０は、顧客１０２がキャンペーンの依頼や仕事の注文を任せることができるように、顧客１０２に顧客ログイン資格証明を与える。
【００１９】
決定ステップ２１０で、顧客１０２はキャンペーンの依頼や仕事の注文を任せたいか否かを顧客１０２に質問する。ノーならば、方法２００は終了する。
【００２０】
イエスなら、方法５０は図３に移行する。図３は、本開示による個人用キャンペーンを印刷し印刷されたキャンペーンの輸送／配送を最適化しおよび／または促進する方法５０の実行時にキャンペーン印刷を任せる方法３００の一実施形態を示す。
【００２１】
ステップ３０２で、顧客１０２はキャンペーンの依頼や仕事の注文を任せる。ステップ３０４で、顧客１０２はログイン資格証明の実行を介してシステム１００で認証される。ステップ３０４ではさらに、顧客１０２が追加した新規キャンペーンの依頼または仕事の注文のそれぞれについて、プロセッサ１１０が次の情報を収集する。
【００２２】
１）最終受取人１０４に配送されるべき個人用キャンペーンカードに適用可能な全ての図形材料、
【００２３】
２）最終受取人の送付先居所のデータベースおよび上記のようにマッピングする文書の仕様書、
【００２４】
３）印刷仕様書、
【００２５】
４）キャンペーンの依頼または仕事の注文についての配送日時の所望範囲、および
【００２６】
５）エネルギー使用（グリーン）ロゴ１３２を全てのキャンペーンカード１２０に付すべきか否か。イエスなら、方法３００は図７に移行する。グリーンロゴ１３２を付すためのエネルギー計算に関しては以下に記載する。
【００２７】
ステップ３０４の完了後、ステップ３０６で、顧客１０２が手作業で品質スコアの低い特定の印刷業者１０６を排除するか、プロセッサ１１０によって１以上の顧客１０２が資格および／または過去の実績に基づいて品質スコアの低い特定の印刷業者１０６を排除可能にする。排除ステップ３０６は、以下の図８に記載する処理の結果として可能である。したがって、排除ステップ３０６は図８からの移行ステップである。
【００２８】
ステップ３０８で、プロセッサ１１０はキャンペーン業務について最大および最小請求額を決定する。より特別には、プロセッサ１１０は、特定のクラスまたはカテゴリーのキャンペーンアイテム１２０について、過去の価格データと現在の輸送コストの範囲を用いて予想価格の見積もりを計算する。
【００２９】
ステップ３１０で、プロセッサ１１０は、目的のキャンペーン業務について最大および最小請求額を顧客に知らせる。より特別には、プロセッサ１１０はたとえば、アイテム当たり予想される最終コストの上下価格範囲、およびキャンペーン当たり予想される最終コストの上下価格範囲を顧客に知らせる。
【００３０】
ステップ３１２で、顧客は最大および最小請求額を受け入れるか否かを決定する。より特別には、顧客はたとえば、アイテム当たり予想される最終コストの上下価格範囲、およびキャンペーン当たり予想される最終コストの上下価格範囲を受け入れるか否かを決定する。
【００３１】
ノーならば、ステップ３１４を実行して、キャンペーンの依頼をキャンセルし、プロセッサ１１０に提供した何らかのキャンペーン情報の削除を確認する。イエスなら、ステップ３１６を実行して、プロセッサ１１０は、顧客１０２に、キャンペーンの依頼または仕事の注文の予約確認と、キャンペーンの依頼または仕事の注文を実行するに当たり印刷業務を行う複数のユーザ１０６が入札するオークションの予定日を知らせる。次に方法３００の実行は図４に移行する。
【００３２】
図４は、本開示による個人用キャンペーンを印刷し印刷されたキャンペーンの輸送／配送を最適化しおよび／または促進する方法５０の実行時にキャンペーン印刷をマージングし区分化する方法４００の一実施形態を示す。より特別には、方法４００はステップ４０２を含み、全ての新規入力キャンペーンデータを集積する。ステップ４０２に次いで、決定ステップ４０４で、キャンペーン期間は終了か否かを決定する。イエスなら、ステップ４０６を実行して全てのキャンペーン業務を結合する。キャンペーン期間が終了していない場合には、方法４００はステップ４０２に戻って、決定ステップ４０４でのようにキャンペーン期間が終了したと決定されるまで、全ての新規入力キャンペーンデータを集積し、その後、ステップ４０６を実行して全てのキャンペーン業務を結合する。ステップ４０６の後、ステップ４０８を実行して、全てのキャンペーン業務を輸送方法によって区分化された別個のバッチに分割する。
【００３３】
ここで図４Ａを参照すると、ステップ４０８の後、方法４００はさらに、ステップ４１０、４１２および４１４を統合実行する。ステップ４１０は、ステップ４１２では各印刷業者について、ステップ４１４ではアイテム、たとえば、キャンペーンカード１２０を印刷し、印刷業者の地域から最終顧客居所に期限内に地上輸送を用いて配送することができるか否かを、ステップ４１６で全ての印刷業者をチェックしたと決定するまで、チェックすることを含む。ステップ４１４で各印刷業者について、アイテム、たとえば、キャンペーンカード１２０を印刷し、印刷業者の地域から最終顧客居所に期限内に地上輸送を用いて配送することができると決定され、ステップ４１６でかつ全ての印刷業者をチェックしたと決定されたら、ステップ４１８を実行して、このアイテムを地上輸送バッチ、すなわち、地上輸送手段、たとえば、図１でのトラック１２６によって（または図１に示さない自動車によって、または鉄道によって、または他の地上交通手段、たとえば、ボート、船またはフェリー等による海上交通によって）輸送されるバッチに追加する。
【００３４】
ステップ４１４で、アイテム、たとえば、キャンペーンカード１２０を印刷し、印刷業者の地域から最終顧客居所に期限内に地上輸送を用いて配送することができないと決定されたら、ステップ４２０を実行して、アイテムを空輸バッチ、すなわち、航空輸送によって輸送されるバッチに追加する。
【００３５】
全ての印刷業者をチェックしていなかった場合には、ステップ４１２に戻って、再度ステップ４１２および４１４で、各印刷業者について、アイテム、たとえば、キャンペーンカード１２０を印刷し、印刷業者の地域から最終顧客居所に期限内に地上輸送を用いて配送することができるか否かを、ステップ４１６で全ての印刷業者をチェックしたと決定するまで、決定する。ステップ４１６で全ての印刷業者をチェックしたら、ステップ４１８を実行して、このアイテムを地上輸送バッチに追加する。ステップ４２２で、全てのアイテムをチェックしたか否かを決定する。全てのアイテムをチェックしていない場合には、手作業かプロセッサ１１０によって、上述のようにステップ４１２および４１４と合わせてステップ４１０を再度実行して、各アイテムをチェックする。全てのアイテムをチェックしたら、手作業かプロセッサ１１０によって、次に方法４００の実行は図４に戻る。
【００３６】
再度図４を参照すると、ステップ４２２の後、ステップ４２４は各バッチについて指定し、ステップ４２６と合わせて、輸送方法バッチ、たとえば、地上輸送指定されたバッチまたは空輸指定されたバッチを、輸送コードによって区分化された別個のバッチに分割する。決定ステップ４２８で、バッチは割引輸送条件に適合する最小サイズであるか否かを決定する。バッチが割引輸送条件に適合する最小サイズでない、すなわち、バッチが割引輸送レートの条件に比べて小規模バッチである場合には、ステップ４３０を実行して、少なくとも１つの小規模バッチを地域のバッチ、たとえば、同じ輸送方法タイプの同じ地域行きのバッチ、たとえば、地上輸送指定されたバッチまたは空輸指定されたバッチと結合する。ステップ４３０の後、方法４００の実行は図４Ｂに移行する。
【００３７】
図４Ｂを参照すると、決定ステップ４３２で、全てのバッチについてアイテム総数が割引輸送レート条件に十分に適合するか否かを決定する。イエスなら、ステップ４３４で各バッチについて、決定ステップ４３６と合わせて、バッチが割引輸送レート条件に適合する最小サイズであるか否かを決定する。ノーならば、ステップ４３８で、このバッチを同じ輸送方法の別の地域のバッチと結合し、ここで他のバッチは最初または前のバッチの輸送コードに関連する輸送コードを有し、得られた結合バッチが低いグレードの量的割引輸送レート条件に合うようにする。次に決定ステップ４４０を実行して、新規または次のより大きいバッチが輸送割引、たとえば、割引輸送レートに必要な少なくとも最小サイズであるか否かを決定する。ノーならば、ステップ４３８を繰り返し、決定ステップ４４０において、新規のより大きいバッチが割引輸送レートに必要な少なくとも最小サイズであるが、イエスと決定されるまで、上述したように、このバッチを別の地域のバッチと結合する。次にステップ４４２を実行して、全てのバッチをチェックしたか否かを決定する。ノーならば、ステップ４３４で、各バッチについて、決定ステップ４３６と合わせて、再度バッチが割引輸送レート条件に適合する最小サイズであるか否かを決定する。
【００３８】
決定ステップ４３６に戻って、バッチが割引輸送レート条件に適合する最小サイズであると決定されたら、決定ステップ４４２を実行して、全てのバッチをチェックしたか否かを決定する。
【００３９】
決定ステップ４４２で、全てのバッチをチェックしたと最終的に決定されたら、ステップ４４４を実行して、各最終バッチを地域によって次いで輸送居所によって分類し、割引なしの輸送レートに比べて、取り扱いコストおよび配送料金を、運送業者に移管する前に最適化しまたは低減する。
【００４０】
決定ステップ４３２に戻って、全てのバッチについてアイテム総数が割引輸送レート条件に十分に適合しないと決定されたら、ステップ４４６を実行して、全てのバッチについて割引なしの輸送を選択する。ステップ４４６の後、ステップ４４４を実行して、上述のように、各最終バッチを地域によって次いで輸送居所によって分類する。ステップ４４４の完了後、方法４００は再度図４に移行する。
【００４１】
図４を参照すると、ステップ４４４の完了後、再度決定ステップ４２８を参照して、ステップ４２６で、輸送コードにより区分されたより小さいバッチに分割されたバッチが、割引輸送条件に適合する最小サイズであると決定され、ステップ４２８および／またはステップ４４４から得られた各バッチについて、ステップ４４８をステップ４５０と合わせて実行し、各印刷業者１０６と各バッチアイテム１２０送付先間の個々の輸送距離、または印刷業者１０６から最終受取人１０４の送付先居所までの配送距離を計算し記憶する。次にステップ４５２では、各アイテム１２０の輸送距離および輸送方法を用いて、プロセッサ１１０に各アイテム１２０を作成し／および印刷し、および／または輸送するのに必要なエネルギーを計算し記憶する。
【００４２】
ステップ４５４では、プロセッサ１１０に、全ての登録された、すなわち、承認されたまたは資格証明された印刷業者１０６についての輸送コストを、印刷業者１０６の居所と輸送地域または送付先間の個々の輸送コストを合計することによって、計算して記憶する。ステップ４５６では、バッチを印刷業者オークションリストに割り当てる。決定ステップ４５８では、全ての輸送方法バッチ、たとえば、地上輸送指定されたバッチおよび／または空輸指定したバッチは完了したか否かを決定する。ノーならば、方法４００は戻って、決定ステップ４５８で全ての輸送方法バッチが完了したと決定されるまで、上述のように決定ステップ４２４を繰返す。全ての輸送方法バッチが完了したら、方法４００は図５のステップ５０２に移行して入札処理を開始する。
【００４３】
ここで図５を参照すると、本開示による個人用キャンペーンを印刷し印刷されたキャンペーンの輸送／配送を最適化しおよび／または促進する方法５０の実行時にキャンペーン印刷に入札しこれを実行する方法５００の一実施形態が示されている。より特別には、図４および４Ａにおけるキャンペーンをマージングし区分化する方法４００の完了後、方法５０はステップ５０２に移行して、オークションされるキャンペーン業務または仕事の見積もりを提供する。
【００４４】
ステップ５０４では、キャンペーンの依頼または仕事の注文について開催予定のオークション入札に意欲的決断をさせるために、承認された入札者を手作業かまたはプロセッサ１１０によって勧誘する。
【００４５】
意欲的な入札者、すなわち、印刷業務を行う複数のユーザ１０６の一部または全てに対して、ステップ５０６では、手作業かまたはプロセッサ１１０によってその仕様書および配送期間を含む開催予定のオークションのリストを提供する。
【００４６】
手作業かまたはプロセッサ１１０によって、ステップ５０８では、入札処理を開始する。入札またはオークション処理が完了したとき、ステップ５１０では、プロセッサ１１０が、落札した印刷業者１０６に、落札したバッチを印刷し輸送するのに必要なデータを入手するための方法および資格証明を与える。ステップ５１２では、各落札した印刷業者のバッチ内に、プロセッサ１１０は集約した画質保証を容易にするために品質保証目的の特別の印刷画像を含ませる。品質保証処理の詳細は図８を参照して以下に記載する。
【００４７】
ステップ５１４では、落札した１または複数の印刷業者１０６は全てのバッチアイテムを印刷し、適用可能ならグリーンロゴ１３２および／またはグリーンロゴ１３２’を作成し、グリーンロゴ１３２および／または１３２’をキャンペーンアイテム１２０上の固定データに含ませ、グリーンロゴ１３２および／または１３２’を変更可能なデータおよび情報に適用し（図７のステップ７１２と合わせて、図９および１０も参照、以下で説明する）、入札処理の前に与えられた業務仕様書に従ってバッチアイテムを輸送する。ステップ５１６では、複数のキャンペーンの個々のアイテムが送付されたことを示すシステム記録を更新する。全ての落札した印刷業者１０６がそのバッチアイテム、たとえば、キャンペーンカード１２０の印刷および輸送を完了した後、ステップ５１８では、手作業かまたはプロセッサは顧客１０２に伝票発行し報告を始め、印刷業者１０６への支払いを始め、１または複数の輸送施設１４０、すなわち、輸送業務を行う１以上のユーザ１４２のオペレータへの支払いを始める。
【００４８】
図６は、本開示による個人用キャンペーンを印刷し印刷されたキャンペーンの輸送／配送を最適化しおよび／または促進する方法５０の実行時に印刷業務を行う複数のユーザを入手する方法６００の一実施形態を示す。より特別には、方法６００は、ステップ６０２を含み、ここでは、手作業かまたはプロセッサ１１０によって、キャンペーン印刷業務に入札するための資格を得ることに意欲のある１以上の複数の印刷業者１０６からの通信を受信する。
【００４９】
ステップ６０４では、特定の印刷業者１０６について典型的なキャンペーンアイテムを印刷するためのエネルギー指標を収集する。この処理を図７を参照して以下に詳細に記載する。ステップ６０６では、手作業かまたはプロセッサ１１０が特定の印刷業者１０６の能力について質問する。ステップ６０８では、手作業かまたはプロセッサ１１０がプロセッサ１１０のメモリにデータ、たとえば、これに限定されないが、印刷会社の名称、接触情報、伝票発行情報、および図を作成しフォーマットするのに使用される社内ツールのリストを追加する。ステップ６１０では、手作業かまたはプロセッサ１１０が特定の印刷業者１０６に今後のオークションで入札するためのログイン資格証明および権利を与える。
【００５０】
特定の印刷業者１０６は今後のオークションで入札する権利を与えられたら、決定ステップ６１２では、この特定の印刷業者１０６が現在または今後のキャンペーン印刷業務に入札したいか否かを質問する。イエスなら、方法６００は、図５に示す方法５００に移行して、キャンペーン印刷に入札しこれを実行する。ノーならば、特定の印刷業者１０６がキャンペーン印刷業務に入札したいという時期まで方法６００は終了する。
【００５１】
図７は、本開示による個人用キャンペーンを印刷し印刷されたキャンペーンの輸送／配送を最適化しおよび／または促進する方法５０の実行時にカーボンフットプリントを定量しグリーンロゴまたはエネルギーロゴを適用する方法７００の一実施形態を示す。より特別には、方法７００はステップ７０２を含み、ここでは印刷キャンペーン業務が、複数の最終受取人１０４に輸送される別個の個人用キャンペーンカード１２０に対してグリーンロゴまたはエネルギーロゴの適用を指定するかまたは要するかを決定する。ステップ７０２は図３のステップ３０４と相互作用し、全てのキャンペーンカード１２０にエネルギー使用ロゴを適用すべきであると決定する。ステップ７０４では、各バッチ地域についていずれの印刷業者１０６が落札したかを決定し、個人用キャンペーンカード１２０を印刷し輸送するための特定の印刷業者１０６の平均エネルギー使用量を得る。ステップ７０４は図６のステップ６０４と相互作用し、特定の印刷業者１０６について、典型的な個人用キャンペーンカード１２０を印刷輸送するためのエネルギー指標を収集する。
【００５２】
ステップ７０６では、複数の最終受取人１０４の個々の輸送居所を各キャンペーン用に入手し、これ対して、グリーンロゴ１３２を個人用キャンペーンカード１２０の全てまたは一部に適用する。
【００５３】
グリーンロゴまたはエネルギーロゴ１３２を含むよう指定されたバッチ内のアイテムについて、ステップ７０８では、カーボンまたはエネルギーフットプリント(energy footprint)を次のように定量する、（１）印刷エネルギーフットプリントを、キャンペーンカード１２０当たりの印刷処理のエネルギー使用量をカーボン変換係数と掛けて、たとえば、製造された、または削減された二酸化炭素の重量による相当量を見積もることによって計算し、（２）輸送エネルギーフットプリントを、特定のバッチの空輸距離および／またはドライブ距離を消費または使用した石油レートと掛け、これをカーボン変換係数と掛けて、計算することによってキャンペーンカード１２０当たりの輸送作業のエネルギー使用量を見積もることによって計算し、（３）（１）の印刷エネルギーフットプリントと（２）の輸送エネルギーフットプリントとを加えて、キャンペーンの特定の部分についてのカーボンまたはエネルギーフットプリントを定量し、これに対してグリーンロゴまたはエネルギーロゴ１３２を適用する。上記（１）の印刷エネルギーフットプリントと上記（２）の輸送エネルギーフットプリントとの合計としてステップ７０８では示されているが、或る実施形態では、カーボンまたはエネルギーフットプリントは上記（１）の印刷エネルギーフットプリントであってもよい。場合によっては、或る実施形態では、カーボンまたはエネルギーフットプリントは（２）の輸送エネルギーフットプリントであってもよい。
【００５４】
ステップ７１０では、各バッチの輸送地域について、手作業かまたはプロセッサ１１０によって、キャンペーンカード１２０当たりの輸送距離およびカーボンフットプリント値（またはエネルギー使用データまたは評価）をプロセッサメモリ（図１に示さない）に、ステップ７０８で上述するように（１）と（２）を加えることによって計算される全カーボンフットプリント値か、場合によっては（１）の印刷エネルギーフットプリントとして示されるものか、または（２）の輸送エネルギーフットプリントかのいずれかで、保存する。輸送距離とは、印刷業者１０６の地域から、特定のキャンペーンカード１２０が輸送または配送される特定の最終受取人１０４の地域までの距離のことである。ステップ７１２では、グリーンロゴまたはエネルギーロゴ１３２および／または１３２’（図９および１０での以下の議論参照）を要するアイテム、たとえば、キャンペーンカード１２０について、印刷業者１０６がグリーンロゴ１３２または１３２’を作成し、キャンペーンカード１２０上にロゴ１３２および／または１３２’を含ませ、個々のキャンペーンカード１２０にロゴによって表される変更可能なデータ、たとえば、輸送距離および特定のカーボンフットプリント値を適用する。ステップ７１０をステップ５１４と合わせて実行して、全てのバッチアイテムを印刷し、適用可能な場合にはグリーンロゴ１３２および／または１３２’を作成しこれを含め、変更可能なデータをグリーンロゴ１３２および／または１３２’に適用し、図５を参照して上述したように与えられた仕様書どおりに輸送する。グリーンロゴ１３２または１３２’を作成し含めることおよび変更可能なデータを含めることは図９および１０を参照して以下に記載する。
【００５５】
より特別には、方法８００はステップ８０２を含み、ここでは全ての入力画質の確認印刷を集積する。ステップ８０２は図５のステップ５１２からの移行ステップであり、品質確認施設１５０で手作業かまたは品質確認プロセッサ１５０によって実行され（図１に関する上記説明参照）、ここでは、各印刷されたアイテムたとえば、キャンペーンカード１２０および／またはグリーンロゴ１３２について異なる画質パラメータを定量する。ステップ８０６では、プロセッサ１１０にアイテム、たとえば、キャンペーンカード１２０が到着したことを知らせ、その品質指標をプロセッサ１１０に記憶する。
【００５６】
ステップ８０６の後、決定ステップ８０８で、品質が許容可能か否かを決定する。イエスなら、方法８００は決定ステップ８１０に移行してここで全ての品質保証アイテムが到着したか否かを決定する。
【００５７】
決定ステップ８０８に戻って、品質が許容可能でない場合には、ステップ８１２を実行して、印刷業者１０６に劣悪なまたは許容できない品質レベルであることを知らせる。次にステップ８１４を実行して、劣悪な品質のバッチを提供した特定の印刷業者１０６にバッチのやり直しをさせるかを考える。ステップ８１４の後、決定ステップ８１６で、特定の印刷業者１０６の品質は一貫して許容できないか否かを決定する。イエスなら、ステップ８１８で、特定の印刷業者１０６に今後のオークションへは参加できないことを知らせる。決定ステップ８１６に戻って、特定の印刷業者１０６の品質は一貫して許容できないというわけではないと決定された場合には、方法８００は決定ステップ８１０に移行する。決定ステップ８１０で、全ての品質保証アイテム、たとえば、入力品質確認画像印刷が到着したか否かを決定する。イエスなら、ステップ８２２を実行して、品質レベルデータを顧客１０２に提供して、顧客は新しいキャンペーンを追加する。
【００５８】
決定ステップ８１０に戻って、全ての品質保証アイテムが到着していないと決定された場合には、ステップ８２０を実行して、欠落アイテムがあることを印刷業者１０６に知らせそのアイテムが送付されたことを確認する。次にステップ８２２を実行して、品質レベルデータを顧客１０２に提供して、顧客は新しいキャンペーンを追加する。
【００５９】
ステップ８２４を実行して、印刷業者１０６が許容可能な品質レベルで業務を行うことが再確認されるまでまたは再確認されない限り、劣悪な品質レベルの印刷業者のログイン資格証明を取り除き、この業者の今後のオークションへの参加を防止してもよい。
【００６０】
方法８００は、プロセッサ１１０および／または１以上の特別の画質印刷を受け取る品質確認施設またはプロセッサ１５０を最適化する図５のステップ５１２と同調させる。
【００６１】
図１および７と合わせて図９および１０を参照すると、図９では、キャンペーンアイテム、たとえば、キャンペーンカード１２０の第１の表面９０２が示されている。カード図面９１０は、「パート１」または第１パートの印刷文字および図形デザイン９１０’を含み、これは固定であって、たとえば、あるキャンペーンカード１２０と別のものとで変更はない。このような文字および図形デザイン９１０’（「カード」として示される）はたとえば、差出人の名称および居所および／または差出人、たとえば、複数の広告代理店である複数のシステムユーザ１０２の少なくとも１つの顧客を表すロゴであってもよい。
【００６２】
本開示に従う一実施形態では、キャンペーンカード１２０の第１の表面９０２は、グリーンロゴまたはエネルギーロゴ１３２を含む。グリーンロゴ１３２はその第１の表面９０２上に「パート３」または第３パートの文字および／または図形デザイン９３０を含み、これは固定であって、たとえば、あるキャンペーンカード１２０と別のものとで変更はない。この文字および図形デザイン９３０は、特別のキャンペーンカード１２０を印刷し輸送する方法の環境またはエネルギーインパクトの記載を含んでもよい。
【００６３】
価値を高めることができるように、幾分かのグリーンロゴ１３２に関する文字、図形デザインおよびデータはキャンペーンカード１２０の別の位置に配置されるのがより好ましい場合もある。より特別には、図１０を参照すると、キャンペーンカード１２０の第２の表面１００２が示されている。第１の表面９０２と同様に、カード図面１０１０は、「パート１」または第１パートの印刷文字および図形デザイン１０１０’を含み、これは固定であって、たとえば、あるキャンペーンカード１２０と別のものとで変更はない。印刷された文字および図形デザインの第１パート１０１０’は、差出人の名称１０１０’ａ、たとえば、「見本の車の特約店サービス係（ＥＸＡＭＰＬＥ ＣＡＲ ＤＥＡＬＥＲＳＨＩＰ ＳＥＲＶＩＣＥ ＤＥＰＡＲＴＭＥＮＴ）」および／または図形デザイン、たとえば、車１０１０’ｂを含んでもよい。図形デザインは変更してもよく、たとえば、あるキャンペーンカード１２０では、赤い車を示してもよく、別のキャンペーンカードでは、青いトラックを示してもよく、これは最終受取人１０４に関する個人用情報に依存する。最終受取人１０４に向けた一般的文章１０１０’ｃは変更可能なデータを含んでもよい。たとえば、一般的文章１０１０’ｃは、「拝啓〜、あなた様の〜のオイル交換時期です。このカードを持参いただけば〜割引いたします。（Hello＿＿＿,  It's oil change time for your＿＿.  Bring this card in for a ＿＿＿discount）」と記載してもよい。変更可能なデータ１０２０は受取人、たとえば、「ニック（Ｎｉｃｋ）」の名前１０２０ａ、サービスや製品が向けられる対象または人物、たとえば、自動車のタイプ、たとえば、「赤い車」（示される）や「青いトラック」、および報酬や金銭的割引１０２０ｃ等、たとえば、キャンペーンの依頼に応じた奨励金として「１．００ドル（＄１．００）」を含んでもよい。
【００６４】
一実施形態では、第２の表面１００２はグリーンロゴまたはエネルギーロゴ１３２’を含む。グリーンロゴまたはエネルギーロゴ１３２と同様に、グリーンロゴ１３２’はカード１２０の第２の表面上に「パート３」または第３パートの文字および／または図形デザイン１０３０を含み、これは固定であって、たとえば、あるキャンペーンカード１２０と別のものとで変更はない。この文字および／または図形デザイン１０３０は、特別のキャンペーンカード１２０を印刷しおよび／または輸送する方法の環境またはエネルギーインパクトの記載を含んでもよい。固定の文字および／または図形デザイン１０３０はたとえば、次のようなことを述べてもよい、「私どもの新しいグリーンコンタクト法を使用して、このカードは〜で作成され、あなた様からちょうど〜の距離で僅か〜の総カーボンフットプリントで印刷されたものです。私どもがあなた様と出会いより多くの情報を〜のこの処理で得るこの方法を、あなた様は改良することができます（Using our new Green Contact process, this card was created with ＿＿＿ and printed just ＿＿＿ from you with a total Carbon Footprint on only ＿＿＿.  You can modify the way we contact you and get more information on this process at: ＿＿＿＿＿）」。グリーンロゴ１３２’はまた、「パート４」または第４パートの文字および／または図形デザイン１０４０を含んでもよく、これはあるキャンペーンカード１２０と別のものとで変更があってもよい。変更可能なデータ１０４０は、たとえば、紙や他の材料のタイプといったデータ１０４０ａ、たとえば、リサイクル厚紙や、カード１２０を作成するのに好適な他の印刷材料、たとえば、「低セルロース紙」、印刷業者１０６から最終受取人１０４までの輸送距離または配送距離、たとえば、何キロメートルやマイル（図１０では２３マイルと示される）を含んでもよい。変更可能なデータ１０４０はまた、キャンペーンカードを作成（および／または処理）したために生じた１以上の温室効果ガスのカーボンフットプリント値１０４０ｃを、重量、たとえば、グラム、キログラム、またはポンドで、または体積、リットル、立方センチメートル、立方インチ等で含んでもよく、たとえば、「０．１１Ｌｂｓ．ＣＯ2」（ポンド）を示す。温室効果ガスには二酸化炭素（ＣＯ2）、メタン（ＣＨ4）または温室効果への他の一因があってもよい。さらに、変更可能なデータ１０４０はウェブサイトアドレス１０４０ｄ、たとえば、示すような「" HYPERLINK "http://www.greenblabla.com/Nick" www.greenblabla.com/Nick」を含んでもよく、最終受取人１０４はグリーンコンタクト法に関する追加の情報、たとえば、個人用キャンペーンの印刷および印刷されたキャンペーンの配送のためのシステム１００の操作および個人用キャンペーンの印刷および印刷されたキャンペーンの配送方法５０の実行よって、どれくらいエネルギー効率が向上し環境への影響が削減されたかにアクセスすることができる。ウェブサイトアドレス１０４０ｄに対応するウェブサイトは、特定の印刷業者１０６から特定の最終受取人１０４までの輸送距離に基づいて、特定の最終受取人１０４、この場合には「ニック」について決定されたカーボンフットプリント値についての情報を提供する個人用ウェブサイトであってもよい。
【符号の説明】
【００６５】
１００  システム、１０２  顧客、１０４  最終受取人、１０６  印刷業者、１１０  プロセッサ、１１２  個人用キャンペーンデータ、１１４，１３０  ネットワーク、１２０  キャンペーンカード。
【図１】
0005410164.tif 000002
【図２】
0005410164.tif 000003
【図３】
0005410164.tif 000004
【図４】
0005410164.tif 000005
【図４Ａ】
0005410164.tif 000006
【図４Ｂ】
0005410164.tif 000007
【図５】
0005410164.tif 000008
【図６】
0005410164.tif 000009
【図７】
0005410164.tif 000010
【図８】
0005410164.tif 000011
【図９】
0005410164.tif 000012
【図１０】
0005410164.tif 000013